(57)【要約】【課題】大地震が発生した際に、その震動によって、自動的に保護継電器のスイッチレバーを下ろして通電を遮断し、火災といった二次災害の発生を未然に防止することのできる地震遮断スイッチ装置を提供する。【課題手段】  大地震が発生した際に、その震動で、建物に取り付けられている保護継電器１のスイッチレバー２を自動的に下ろして通電を遮断する装置であって、保護継電器１の近傍の壁面３に取付けられ、垂直板１２と水平板１３とで構成される側面Ｌ字状で、水平板１３に前後方向に形成され、前端解放部１４ａを有する凹部１４を備えたＬ形プレート１１と、Ｌ形プレート１１の水平板１３に上載される筒状部１６の下面から、凹部１４に挿通する垂下部１７を突設した降下体１５と、降下体１５と保護継電器１のスイッチレバー２とを接続する紐片２０と、で構成する。【選択図】        図１
0003113492.tif 000002
【実用新案登録請求の範囲】
【請求項１】
大地震が発生した際に，その震動で，建物に取り付けられている保護継電器（１）のスイッチレバー（２）を自動的に下ろして通電を遮断する装置であって、前記保護継電器の近傍の壁面（３）に取付けられ，垂直板（１２）と水平板（１３）とで構成される側面Ｌ字状で，前記水平板に前後方向に形成され，前端解放部（１４ａ）を有する凹部（１４）を備えたＬ形プレート（１１）と、前記Ｌ形プレートの水平板に上載される筒状部（１６）の下面から，前記凹部に挿通する垂下部（１７）を突設した降下体（１５）と、前記降下体と，前記保護継電器のスイッチレバーとを接続する紐片（２０）と、からなる地震遮断スイッチ装置。
【請求項２】
大地震が発生した際に，その震動で，建物に取り付けられている保護継電器（１）のスイッチレバー（２）を自動的に下ろして通電を遮断する装置であって、前記保護継電器の近傍の壁面（３）に取付けられ，垂直板（１２）と水平板（１３）とで構成される側面Ｌ字状で，前記水平板に前後方向に形成され，前端解放部（１４ａ）を有する凹部（１４）を備えたＬ形プレート（１１）と、前記Ｌ形プレートの水平板に上載される筒状部（１６）の下面から，前記凹部に挿通する垂下部（１７）を突設した降下体（１５）と、前記降下体と，前記保護継電器のスイッチレバーとを接続する紐片（２０）と、からなり、前記筒状部の背面から，先端部が前記壁面に当接する横棒部（１８）を横設してなる地震遮断スイッチ装置。
【考案の詳細な説明】
【技術分野】
【０００１】
本考案は、建物の保護継電器（ブレーカー）に取り付けられ、地震発生時に、その震動によって通電を自動的に遮断することのできる地震遮断スイッチ装置に関するものである。
【背景技術】
【０００２】
家庭や事務所あるいは工場などの建物には、通常、電力会社から供給される電力が、あらかじめ設定された使用電流を超過すると自動的に通電を遮断するための保護継電器（ブレーカー）が取り付けられている。
【０００３】
こうした保護継電器には、上下方向に回動自在のスイッチレバーが設けられ、上方向に回動した状態で通電状態を維持し、下方向に回動することによって通電を遮断するように構成されている。
【考案の開示】
【考案が解決しようとする課題】
【０００４】
近年、大地震が相次いで発生し、中には、それに起因して火災と言う二次災害が発生し、多数の人々が犠牲になった震災は記憶に新しい。この火災の多くは、地震後に、電力会社から各家庭等に電力の供給が再開されたことによることが大きいとされ、また、地震発生直後に、各家庭等に取り付けられている保護継電器のスイッチレバーを下ろし、通電を遮断していれば防ぐことができたであろうとされている。しかし、大地震が発生し、自己の身に大きな危険を感じて避難することさえ困難な状況において、保護継電器のスイッチレバーを下ろすといった作業を行う余裕はないと考えられる。
【０００５】
本考案はこうした過去の震災に鑑み創案されたもので、震度５程度以上の大地震が発生した際に、その震動によって、自動的に保護継電器のスイッチレバーを下ろして通電を遮断し、火災といった二次災害の発生を未然に防止することのできる地震遮断スイッチ装置を提供することを課題とする。
【課題を解決するための手段】
【０００６】
図１乃至図４を参照して説明する。請求項１に記載の地震遮断スイッチ装置１０は、大地震が発生した際に、その震動で、建物に取り付けられている保護継電器１のスイッチレバー２を自動的に下ろして通電を遮断する装置であって、前記保護継電器１の近傍の壁面３に取付けられ、垂直板１２と水平板１３とで構成される側面Ｌ字状で、前記水平板１３に前後方向に形成され、前端解放部１４ａを有する凹部１４を備えたＬ形プレート１１と、前記Ｌ形プレート１１の水平板１３に上載される筒状部１６の下面から、前記凹部１４に挿通する垂下部１７を突設した降下体１５と、前記降下体１５と、前記保護継電器１のスイッチレバー２とを接続する紐片２０と、からなるものである。
【０００７】
請求項２に記載の地震遮断スイッチ装置１０は、大地震が発生した際に、その震動で、建物に取り付けられている保護継電器１のスイッチレバー２を自動的に下ろして通電を遮断する装置であって、前記保護継電器１の近傍の壁面３に取付けられ、垂直板１２と水平板１３とで構成される側面Ｌ字状で、前記水平板１３に前後方向に形成され、前端解放部１４ａを有する凹部１４を備えたＬ形プレート１１と、前記Ｌ形プレート１１の水平板１３に上載される筒状部１６の下面から、前記凹部１４に挿通する垂下部１７を突設した降下体１５と、前記降下体１５と、前記保護継電器１のスイッチレバー２とを接続する紐片２０と、からなり、前記筒状部１６の背面から、先端部が前記壁面３に当接する横棒部１８を横設してなるものである。
【考案の効果】
【０００８】
請求項１に記載の地震遮断スイッチ装置１０は、保護継電器１の近傍の壁面３に取り付けられるＬ形プレート１１と、その水平板１３に上載される降下体１５と、当該降下体１５と保護継電器１のスイッチレバー２とを接続する紐片２０とで構成したので、大地震が発生した際、その震動によって降下体１５が水平板１３から落下し、その自重によって紐片２０を介して保護継電器１のスイッチレバー２を下ろし、自動的に通電を遮断する。これにより、地震後、電力会社から電気が供給されても、スイッチレバー２を手動で上げて通電しない限り、建物内の電気器具等に電流が流れない。その結果、漏電などによって火災が発生するといった事態を未然に防止することができる。
【０００９】
なお、この地震遮断スイッチ装置１０は、Ｌ形プレート１１の水平板１３に前端解放部１４ａを有する凹部１４を形成し、その凹部１４に、降下体１５の垂下部１７を挿通しているので、震度５程度未満の地震では作動しない。すなわち、例えば、震度１〜２程度の地震で降下体１５が倒れそうになったとしても、その垂下部１７が凹部１４の端面１４ｂに当接して、当該降下体１５が倒れてＬ形プレート１１から落下するのを未然に防止する。従って、保護継電器１のスイッチレバー２を下ろすことなく、そのまま通電を継続する。
【００１０】
一方、震度５程度以上の大地震が発生すると、降下体１５の垂下部１７は凹部１４の端面１４ｂに当接するものの、振動が大きいため、前端解放部１４ａから抜け出し、降下体１５はＬ形プレート１１から落下する。この落下により、降下体１５の自重で、紐片２０が保護継電器１のスイッチレバー２を引っ張り下ろして通電を遮断する。
【００１１】
請求項２に記載の地震遮断スイッチ装置１０は、請求項１に記載の考案と同様に、震度５程度以上の大地震が発生すると、降下体１５がＬ形プレート１１から落下し、その自重で保護継電器１のスイッチレバー２を下ろして、通電を遮断し、地震後の火事の発生を未然に防止する。
【００１２】
また、この地震遮断スイッチ装置１０は、降下体１５の筒状部１６の背面から、先端部が壁面３に当接する横棒部１８を横設しているので、より正確かつ確実に、大地震が発生した場合のみ作動する。すなわち、横棒部１８の先端部を壁面３に当接させているので、当該降下体１５の姿勢は安定しており、例えば、震度１〜２程度の小さな地震が発生しても、壁面３に当接している横棒部１８が降下体１５の正立姿勢を維持するので、当該降下体１５がＬ形プレート１１から落下してしまうといった事態を未然に防止する。なお、この装置においても、震度５程度以上の大地震が発生すると、垂下部１７が前端解放部１４ａから抜け出し、降下体１５がＬ形プレート１１から落下するので、保護継電器１のスイッチレバー２を確実に下ろして通電を遮断する。
【考案を実施するための最良の形態】
【００１３】
本考案に係る地震遮断スイッチ装置１０の実施形態を、図１乃至図４に示す。
これは、震度５程度以上の大地震が発生した際に、その震動で、建物に取り付けられている保護継電器１のスイッチレバー２を自動的に下ろして通電を遮断する装置であり、Ｌ形プレート１１、降下体１５および紐片２０とで構成される。
【００１４】
Ｌ形プレート１１は、保護継電器１の近傍の壁面３に取付けられ、垂直板１２と水平板１３とで構成される側面Ｌ字状である。また、水平板１３に、前後方向に形成され、前端解放部１４ａを有する凹部１４を備えている。降下体１５は、Ｌ形プレート１１の水平板１３に上載される円筒形状で底面が平坦な筒状部１６の下面から、凹部１４に挿通する垂下部１７を突設している。そして、紐片２０は、その一端が降下体１５の上端部にビス１９によって接続され、他端が保護継電器１のスイッチレバー２に接続されている。この紐片２０は、降下体１５がＬ形プレート１１から落下した際、床面（地面）４に届くことのない長さに設定している。なお、本実施形態では、筒状部１６の背面から、その先端部が壁面３に当接する横棒部１８を横設している。
【００１５】
この地震遮断スイッチ装置１０の作用について説明する。この装置１０は、通常時には、降下体１５をＬ形プレート１１の水平板１３に正立姿勢で上載し、その上端部に連結した紐片２０を、保護継電器１のスイッチレバー２に接続している。
【００１６】
この状態で、震度５程度以上の大地震が発生すると、降下体１５はその震動によって揺れ動き、その垂下部１７から凹部１４の前端解放部１４ａから抜け出し、当該降下体１５はＬ形プレート１１から落下する。これにより、紐片２０が保護継電器１のスイッチレバー２を下ろし、通電を遮断する。従って、地震後に、電力会社からの通電が再開されても、電気器具等には電流が流れず、よって漏電等によって発生し得る火災を確実に防止することができる。
【００１７】
なお、震度が１〜２程度の小さな地震の場合は、降下体１５が揺れることはあっても、その垂下部１７が凹部１４の端面１４ｂに当接し、また、横棒部１８が壁面３に当接して、当該降下体１５の転倒および落下を未然に防止するので、保護継電器１のスイッチレバー２を下ろして通電を遮断することはない。
【図面の簡単な説明】
【００１８】
【図１】本考案に係る地震遮断スイッチ装置の実施形態を示す側面図である。
【図２】図１に示す地震遮断スイッチ装置の正面図である。
【図３】図１に示す地震遮断スイッチ装置におけるＬ形プレートを示す平面図である。
【図４】図１に示す地震遮断スイッチ装置におけるＬ形プレートを示す斜視図である。
【符号の説明】
【００１９】
１        保護継電器
２        スイッチレバー
３        壁面
４        床面（地面）
１０      地震遮断スイッチ装置
１１      Ｌ形プレート
１２      垂直板
１３      水平板
１４      凹部
１４ａ    前端解放部
１４ｂ    端面
１５      降下体
１６      筒状部
１７      垂下部
１８      横棒部
１９      ビス
２０      紐片
【図１】
0003113492.tif 000003
【図２】
0003113492.tif 000004
【図３】
0003113492.tif 000005
【図４】
0003113492.tif 000006